(57)【要約】【課題】動作モードを切り替える際のユーザの利便性を向上させることが可能な携帯端末を提供する。【解決手段】この携帯端末１００は、本体２と、磁気を検出可能な地磁気センサ２６と、センサ２６により検出可能な永久磁石１１を含み、本体２に取り付けられる複数のケース１と、地磁気センサ２６により永久磁石１１を含むケース１が検出されたことに基づいて、ケース１を識別し、識別したケース１に対応する動作モードに切り替える制御を行う制御部２７とを備える。【選択図】図３
2013236348.tif 000002
【特許請求の範囲】
【請求項１】
本体部と、
磁気を検出可能な磁気センサと、
前記磁気センサにより検出可能な磁性体を含み、前記本体部に取り付けられるか、または、前記本体部が載置される複数の磁性体設置部材と、
前記磁気センサにより前記磁性体を含む前記磁性体設置部材が検出されたことに基づいて、前記磁性体設置部材を識別し、識別した前記磁性体設置部材に対応する動作モードに切り替える制御を行う制御部とを備える、携帯端末。
【請求項２】
前記複数の磁性体設置部材は、それぞれの前記磁性体から発生される磁界が互いに識別可能なように構成され、
前記制御部は、前記磁性体の磁界の向きおよび大きさのうちの少なくとも一方に基づいて、前記磁性体設置部材を識別するように構成されている、請求項１に記載の携帯端末。
【請求項３】
前記磁性体は、永久磁石により構成され、
前記制御部は、前記永久磁石が発生する磁界に基づいて前記磁性体設置部材を識別するように構成されている、請求項２に記載の携帯端末。
【請求項４】
前記磁気センサは、磁気および地磁気を検出可能な地磁気センサにより構成されている、請求項１〜３のいずれか１項に記載の携帯端末。
【請求項５】
前記制御部は、前記地磁気センサにより検出された前記磁性体の地磁気に対する検出誤差としてのオフセット値を前記磁性体に対応する磁気として算出し、算出された前記オフセット値の大きさおよび向きに基づいて前記磁性体設置部材を識別するように構成されている、請求項４に記載の携帯端末。
【請求項６】
前記磁性体による磁気は、前記磁性体の地磁気に対する前記オフセット値が地磁気の強度の最大値と最小値との差よりも大きくなるように構成されている、請求項５に記載の携帯端末。
【請求項７】
前記制御部は、地磁気とは異なる磁気に起因して生じる地磁気の検出誤差を補正するためのユーザによる前記地磁気センサのキャリブレーション操作の際に、前記磁性体の地磁気に対する前記オフセット値を算出する制御を行うように構成されている、請求項５または６に記載の携帯端末。
【請求項８】
前記磁性体は、前記磁気センサに対向するように前記磁性体設置部材に設けられている、請求項１〜７のいずれか１項に記載の携帯端末。
【請求項９】
情報を表示する表示部をさらに備え、
前記制御部は、検出された前記磁性体設置部材に対応する前記動作モードに応じたインターフェイス画面になるように前記表示部の表示を切り替える制御を行うように構成されている、請求項１〜８のいずれか１項に記載の携帯端末。
【請求項１０】
前記磁性体設置部材は、前記本体部を覆うように取り付け可能なケースを含み、
前記磁性体は、前記ケースに設けられている、請求項１〜９のいずれか１項に記載の携帯端末。
【請求項１１】
前記磁性体設置部材は、前記本体部が載置される充電スタンドしてのクレードルを含み、
前記磁性体は、前記クレードルに設けられている、請求項１〜９のいずれか１項に記載の携帯端末。
【発明の詳細な説明】
【技術分野】
【０００１】
この発明は、携帯端末に関し、特に、動作モードの切り替えが可能な携帯端末に関する。
【背景技術】
【０００２】
従来、動作モードの切り替えが可能な携帯端末が知られている（たとえば、特許文献１参照）。
【０００３】
上記特許文献１には、本体部と、磁気を検出可能な磁気感応スイッチ（磁気センサ）と、磁気感応スイッチにより検出可能な磁石（磁性体）を含み、本体部を収納する携帯端末用ケース（磁性体設置部材）と、制御部とを備えた携帯端末が知られている。この携帯端末の制御部は、携帯端末を携帯端末用ケースに収納した際に、磁気感応スイッチにより携帯端末用ケースの磁石が検出されたことに基づいて、通話可能な状態から待ち受け状態に動作モードを切り替える制御を行うように構成されている。
【先行技術文献】
【特許文献】
【０００４】
【特許文献１】特開平１１−１８６９２９号公報
【発明の概要】
【発明が解決しようとする課題】
【０００５】
しかしながら、上記特許文献１の携帯端末では、携帯端末を携帯端末用ケースに収納した際に、磁気感応スイッチにより携帯端末用ケースの磁石が検出されたことに基づいて、携帯端末を自動的に待ち受け状態に切り替えることが可能である一方、ユーザが待ち受け状態以外の動作モードに切り替えたい場合には、ユーザが自ら携帯端末を操作して動作モードを切り替える必要があるので、利便性が低いという問題点がある。
【０００６】
この発明は、上記のような課題を解決するためになされたものであり、この発明の１つの目的は、動作モードを切り替える際のユーザの利便性を向上させることが可能な携帯端末を提供することである。
【課題を解決するための手段】
【０００７】
この発明の一の局面による携帯端末は、本体部と、磁気を検出可能な磁気センサと、磁気センサにより検出可能な磁性体を含み、本体部に取り付けられるか、または、本体部が載置される複数の磁性体設置部材と、磁気センサにより磁性体を含む磁性体設置部材が検出されたことに基づいて、磁性体設置部材を識別し、識別した磁性体設置部材に対応する動作モードに切り替える制御を行う制御部とを備える。
【０００８】
この一の局面による携帯端末では、上記のように、磁気センサにより磁性体を含む磁性体設置部材が検出されたことに基づいて、複数の磁性体設置部材のうち、検出された磁性体設置部材を識別し、識別した磁性体設置部材に対応する動作モードに切り替える制御を行う制御部を設けることによって、ユーザが状況に応じて複数の磁性体設置部材の中から所望の動作モードに対応する磁性体設置部材を選択して本体部に取り付けるかまたは選択した磁性体設置部材に本体部を載置するだけで、取り付けまたは載置後の磁性体設置部材に対応する動作モードに自動的に切り替えられるので、所望の動作モードに切り替えるためにユーザが携帯端末を操作する必要がない。これにより、動作モードを切り替える際のユーザの利便性を向上させることができる。
【０００９】
上記一の局面による携帯端末において、好ましくは、複数の磁性体設置部材は、それぞれの磁性体から発生される磁界が互いに識別可能なように構成され、制御部は、磁性体の磁界の向きおよび大きさのうちの少なくとも一方に基づいて、磁性体設置部材を識別するように構成されている。このように構成すれば、磁性体の磁界の向きおよび大きさのうちの少なくとも一方に基づいて、複数の磁性体設置部材を容易に識別することができるので、容易に、取り付けまたは載置後の磁性体設置部材に対応する動作モードに自動的に切り替えることができる。
【００１０】
この場合、好ましくは、磁性体は、永久磁石により構成され、制御部は、永久磁石が発生する磁界に基づいて磁性体設置部材を識別するように構成されている。このように構成すれば、取り扱いが容易な永久磁石を用いて、複数の磁性体設置部材をより容易に識別することができる。
【００１１】
上記一の局面による携帯端末において、好ましくは、磁気センサは、磁気および地磁気を検出可能な地磁気センサにより構成されている。このように構成すれば、携帯端末に搭載されていることが多い地磁気を検出可能な地磁気センサを磁性体設置部材の磁気を検出する磁気センサとして流用することができるので、磁性体設置部材の磁気を検出するために専用の磁気センサを別途設ける必要がない。
【００１２】
この場合、好ましくは、制御部は、地磁気センサにより検出された磁性体の地磁気に対する検出誤差としてのオフセット値を磁性体に対応する磁気として算出し、算出されたオフセット値の大きさおよび向きに基づいて磁性体設置部材を識別するように構成されている。このように構成すれば、磁気センサとして地磁気センサを流用する場合でも、地磁気に対する検出誤差としてのオフセット値の大きさおよび向きに基づいて、複数の磁性体設置部材を容易に識別することができるので、容易に、取り付けまたは載置後の磁性体設置部材に対応する動作モードに自動的に切り替えることができる。
【００１３】
上記オフセット値を算出する構成において、好ましくは、磁性体による磁気は、磁性体の地磁気に対するオフセット値が地磁気の強度の最大値と最小値との差よりも大きくなるように構成されている。このように構成すれば、地磁気センサにより、地磁気の強度と磁性体による磁気の強度とが互いにより明確に識別可能な状態で検出されるので、複数の磁性体設置部材を精度よく識別することができる。
【００１４】
上記オフセット値を算出する構成において、好ましくは、制御部は、地磁気とは異なる磁気に起因して生じる地磁気の検出誤差を補正するためのユーザによる地磁気センサのキャリブレーション操作の際に、磁性体の地磁気に対するオフセット値を算出する制御を行うように構成されている。このように構成すれば、ユーザによる地磁気センサのキャリブレーション操作を行う際に併せて磁性体設置部材を識別することができるので、動作モードを切り替える際のユーザの利便性をより向上させることができる。
【００１５】
上記一の局面による携帯端末において、好ましくは、磁性体は、磁気センサに対向するように磁性体設置部材に設けられている。このように構成すれば、磁気センサにより、磁性体の磁気が検出し易くなるので、容易に、磁性体設置部材を識別することができる。
【００１６】
上記一の局面による携帯端末において、好ましくは、情報を表示する表示部をさらに備え、制御部は、検出された磁性体設置部材に対応する動作モードに応じたインターフェイス画面になるように表示部の表示を切り替える制御を行うように構成されている。このように構成すれば、磁性体設置部材を本体部に取り付けまたは磁性体部材に本体部を載置するだけで動作モードに応じたインターフェイス画面に自動的に切り替えられるので、ユーザの利便性をより向上させることができる。
【００１７】
上記一の局面による携帯端末において、好ましくは、磁性体設置部材は、本体部を覆うように取り付け可能なケースを含み、磁性体は、ケースに設けられている。このように構成すれば、ユーザは状況に応じてケースを交換するだけで動作モードを容易に切り替えることができる。
【００１８】
上記一の局面による携帯端末において、好ましくは、磁性体設置部材は、本体部が載置される充電スタンドしてのクレードルを含み、磁性体は、クレードルに設けられている。このように構成すれば、ユーザは状況に応じてクレードルに載置するだけで、動作モードを容易に切り替えることができる。
【図面の簡単な説明】
【００１９】
【図１】本発明の一実施形態による携帯端末の正面側から見た平面図である。
【図２】本発明の一実施形態による携帯端末の構成を示したブロック図である。
【図３】図１の２００−２００線に沿った断面図である。
【図４】本発明の一実施形態による携帯端末のアフター５用のケースを装着した状態を示した図である。
【図５】本発明の一実施形態による携帯端末の休日用のケースを装着した状態を示した図である。
【図６】本発明の一実施形態による携帯端末のＺ方向の地磁気センサの出力を示した図である。
【図７】本発明の一実施形態による携帯端末のＸ方向の地磁気センサの出力を示した図である。
【図８】本発明の一実施形態による携帯端末のＹ方向の地磁気センサの出力を示した図である。
【図９】本発明の一実施形態による携帯端末のビジネスモードの待ち受け画面を示した図である。
【図１０】本発明の一実施形態による携帯端末のビジネスモードの電話帳を示した図である。
【図１１】本発明の一実施形態による携帯端末のアフター５モードの待ち受け画面を示した図である。
【図１２】本発明の一実施形態による携帯端末のアフター５モードの電話帳を示した図である。
【図１３】本発明の一実施形態による携帯端末の休日モードの待ち受け画面を示した図である。
【図１４】本発明の一実施形態による携帯端末の休日モードの電話帳を示した図である。
【図１５】本発明の一実施形態による携帯端末の動作モード切り替え処理フローを説明するためのフローチャートである。
【図１６】本発明の一実施形態による携帯端末のケースに設置されるＹ１方向に磁界を発生する磁性体の変形例を示した図である。
【図１７】本発明の一実施形態による携帯端末のケースに設置されるＹ２方向に磁界を発生する磁性体の変形例を示した図である。
【図１８】本発明の一実施形態による携帯端末のケースに設置されるＸ１方向に磁界を発生する磁性体の変形例を示した図である。
【図１９】本発明の一実施形態による携帯端末のケースに設置されるＸ２方向に磁界を発生する磁性体の変形例を示した図である。
【図２０】本発明の一実施形態による携帯端末をクレードルに載置する変形例を示した図である。
【発明を実施するための形態】
【００２０】
以下、図１〜図１４を参照して、本発明の一実施形態による携帯端末１００の構成について説明する。
【００２１】
本発明の一実施形態による携帯端末１００は、ビジネスモード、アフター５モードおよび休日モードの３つのモードに対応可能に構成されている。また、携帯端末１００は、図１に示すように、ケース１と、本体２とを備えている。ケース１は、本体２を覆うように取り付け可能に構成されている。また、携帯端末１００に対応可能なケース１は複数あり、たとえば、アフター５用のケース１ａおよび休日用のケース１ｂがある。なお、ケース１は、本発明の「磁性体設置部材」の一例である。また、アフター５用のケース１ａは、本発明の「磁性体設置部材」および「ケース」の一例である。また、休日用のケース１ｂは、本発明の「磁性体設置部材」および「ケース」の一例である。また、本体２は、本発明の「本体部」の一例である。また、ビジネスモード、アフター５モードおよび休日モードは、本発明の「動作モード」の一例である。
【００２２】
ここで、本実施形態では、本体２は、図２に示すように、電子部品を搭載する基板２１（図３参照）と、本体２に設けられる電子部品に電源を供給する電源部２２と、電話通信およびインターネット通信が可能な通信部２３と、タッチ操作を行うことが可能なタッチパネル２４と、データを記憶する記憶部２５とを含んでいる。また、本体２は、地磁気および磁気を検出可能な地磁気センサ２６と、携帯端末１００を制御する制御部２７とを含んでいる。なお、タッチパネル２４は、本発明の「表示部」の一例である。また、地磁気センサ２６は、本発明の「磁気センサ」の一例である。
【００２３】
また、ケース１は、図３〜図５に示すように、永久磁石１１を含んでいる。また、ケース１には、略立方体形状の永久磁石１１が配置される凹部１２が設けられている。永久磁石１１は、テープなどの接着部材で凹部１２に固定されている。永久磁石１１は、ケース１が本体２に装着される際に、地磁気センサ２６に対向するようにケース１に設けられている。また、永久磁石１１は、地磁気センサ２６により検出可能な磁界をＮ極からＳ極に向けて発生するように構成されている。なお、永久磁石１１は、本発明の「磁性体」の一例である。
【００２４】
アフター５用のケース１ａは、アフター５モードに切り替える際に本体２に取り付けられる。また、休日用のケース１ｂは、休日モードに切り替える際に本体２に取り付けられる。また、アフター５用のケース１ａおよび休日用のケース１ｂは、それぞれの永久磁石１１ａおよび１１ｂから発生される磁界が互いに識別可能なように構成されている。なお、永久磁石１１ａは、本発明の「磁性体」の一例である。また、永久磁石１１ｂは、本発明の「磁性体」の一例である。
【００２５】
具体的には、アフター５用のケース１ａには、図４に示すように、永久磁石１１ａのＮ極を含む面がＺ１方向側に配置されるように構成されている。これにより、アフター５用のケース１ａが本体２に取り付けられた際に、磁界が永久磁石１１ａ側から本体２側（Ｚ１方向）に向けて発生される。また、休日用のケース１ｂには、図５に示すように、永久磁石１１ｂのＮ極を含む面がＺ２方向側に配置されるように構成されている。これにより、休日用のケース１ｂが本体２に取り付けられた際には、永久磁石１１ｂから発生される。永久磁石１１ｂから発生される磁界の向きは、アフター５用のケース１ａの永久磁石１１ａの場合とは反対方向になる。
【００２６】
基板２１は、図３に示すように、本体２の内部に設けられている。また、タッチパネル２４は、図９〜図１４に示すように、ユーザにより設定された待ち受け画面および電話帳などの所定の情報を表示可能なように構成されている。
【００２７】
記憶部２５は、書き換え可能な不揮発性のメモリにより構成されている。記憶部２５には、ユーザにより登録された電話帳および携帯端末１００のアプリケーションに関するデータが記憶可能に構成されている。
【００２８】
地磁気センサ２６は、図３〜図５に示すように、基板２１のＺ２方向側の表面上に設けられている。地磁気センサ２６は、地磁気を検出可能に構成されている。また、地磁気センサ２６は、携帯端末１００において検出した地磁気から方位を識別可能な電子コンパスとして用いられる。なお、地磁気は、地球の南極近傍から北極近傍に向けて水平方向（Ｘ方向およびＺ方向）に沿って発生される。また、地磁気は、垂直方向（Ｙ方向）には略発生されていない。また、地磁気センサ２６は、永久磁石１１から発生される磁界を検出可能に構成されている。また、地磁気センサ２６は、ケース１に設けられた永久磁石１１の磁界も検出可能に構成されている。なお、地磁気センサ２６と永久磁石１１の間に磁界を妨げるものが無ければ、地磁気センサ２６は基板２１のＺ１方向側の表面上に設けられていてもよい。
【００２９】
次に、携帯端末１００を図１に示す回転軸Ｒを回動中心として３６０度回動させた場合に地磁気センサ２６により検出される磁界の波形について説明する。まず、Ｚ方向（水平方向）においては、本体２にケース１が取り付けられていない状態では、図６に示すように、地磁気が検出される（波形Ａ）。また、アフター５用のケース１ａ（図４参照）が本体２に取り付けられた状態では、Ｚ方向において、永久磁石１１ａによる磁界の影響により正方向にＺ０オフセットされた状態で地磁気が検出される（波形Ｂ）。すなわち、地磁気による磁界と永久磁石１１ａによる磁界とが重畳された状態で検出される。また、休日用のケース１ｂ（図５参照）が本体２に取り付けられた状態では、Ｚ方向において、永久磁石１１ｂによる磁界の影響により負方向にＺ０オフセットされた状態で地磁気が検出される（波形Ｃ）。すなわち、地磁気による磁界と永久磁石１１ｂによる磁界とが重畳された状態で検出される。
【００３０】
また、アフター５用のケース１ａおよび休日用のケース１ｂを取り付けた状態の地磁気センサ２６の近傍では、Ｘ方向（水平方向）において、Ｘ１方向に向かう磁界およびＸ２方向に向かう磁界が互いに打ち消しあうので磁界の影響がない。このため、Ｘ方向においては、図７に示すように、ケース１なしの場合、アフター５用のケース１ａを取り付けた場合、および、休日用のケース１ｂを取り付けた場合とで、磁界の波形に実質的に違いがない。
【００３１】
また、アフター５用のケース１ａおよび休日用のケース１ｂを取り付けた状態の地磁気センサ２６の近傍では、Ｙ方向（垂直方向）において、Ｙ１方向に向かう磁界およびＹ２方向に向かう磁界が互いに打ち消しあうので磁界の影響がない。また、Ｙ方向において、地磁気は略検出されない。このため、Ｙ方向においては、図８に示すように、ケース１なしの場合、アフター５用のケース１ａを取り付けた場合、および、休日用のケース１ｂを取り付けた場合とで、磁界の波形に実質的に違いがない。
【００３２】
また、本実施形態の携帯端末１００では、地磁気とは異なる磁気に起因して生じる地磁気の検出誤差を補正するためにユーザにより地磁気センサ２６のキャリブレーション操作が行われる。具体的には、携帯端末１００が、携帯端末１００のＸ方向の略中心で、かつ、Ｙ方向に沿った軸を回転軸Ｒ（図１参照）として３６０度、ユーザにより回転される。Ｚ方向においては、０度〜３６０度（図６参照）までの磁界の強度が連続的に検出される。そして、たとえば、１度ごとに検出された磁界の強度を平均化することにより正確なオフセット値が算出される。なお、携帯端末１００は、Ｙ方向に沿った軸であれば、携帯端末１００のＸ方向の略中心を通る回転軸Ｒ以外の軸を回転軸として回転させてもよい。
【００３３】
また、Ｘ方向およびＹ方向においては、永久磁石１１ａおよび１１ｂによる磁界の影響がないものの、携帯端末１００の電子部品などから発生される磁界が検出され得る。このため、Ｘ方向およびＹ方向においても、Ｚ方向と同様のキャリブレーション操作が行われる。
【００３４】
また、図６に示すように、永久磁石１１の磁気は、永久磁石１１の地磁気に対するオフセット値（Ｚ０、−Ｚ０）の大きさが地磁気の強度の最大値と最小値との差であるＺｎよりも大きくなるように構成されている。また、地磁気センサ２６が検出した地磁気および永久磁石１１から発生される磁気に関するデータは制御部２７に出力されるように構成されている。
【００３５】
制御部２７は、地磁気センサ２６から出力された地磁気センサ２６が検出した地磁気および永久磁石１１から発生される磁気に関するデータを取得可能に構成されている。また、制御部２７は、地磁気センサ２６により永久磁石１１ａを含むアフター５用のケース１ａおよび永久磁石１１ｂを含む休日用のケース１ｂが検出されたことに基づいて、アフター５用のケース１ａおよび休日用のケース１ｂを識別するように構成されている。また、制御部２７は、地磁気センサ２６によりアフター５用のケース１ａおよび休日用のケース１ｂが検出されない場合には、ケース１が取り付けられていないと判断する制御を行うように構成されている。制御部２７は、地磁気センサ２６により検出されるアフター５用のケース１ａおよび休日用のケース１ｂのそれぞれの永久磁石１１ａおよび１１ｂが発生する磁界に基づいてアフター５用のケース１ａおよび休日用のケース１ｂを識別するように構成されている。詳細には、制御部２７は、永久磁石１１ａおよび１１ｂそれぞれの磁界の向きおよび大きさに基づいて、アフター５用のケース１ａおよび休日用のケース１ｂを識別するように構成されている。
【００３６】
制御部２７は、永久磁石１１の地磁気に対する検出誤差としてのオフセット値を永久磁石１１に対応する磁気として算出するように構成されている。また、制御部２７は、算出されたオフセット値の大きさおよび向きに基づいて、アフター５用のケース１ａおよび休日用のケース１ｂを識別するように構成されている。そして、制御部２７は、アフター５用のケース１ａおよび休日用のケース１ｂを識別したことに基づいて、識別したアフター５用のケース１ａまたは休日用のケース１ｂのそれぞれに対応するアフター５モードまたは休日モードに切り替える制御を行うように構成されている。また、制御部２７は、ケース１が取り付けられていない場合には、ビジネスモードに切り替える制御を行うように構成されている。
【００３７】
制御部２７は、ビジネスモードでは、図９に示すように、ビジネスに適したアプリケーション（たとえば、テキストを編集するアプリケーションなど）のアイコン２８ａをタッチパネル２４に表示するように構成されている。また、制御部２７は、図１０に示すように、ビジネスに適した電話帳２８ｂをタッチパネル２４に表示するように構成されている。
【００３８】
制御部２７は、アフター５モードでは、図１１に示すように、アフター５に適したアプリケーション（たとえば、飲食店の情報を提供するアプリケーションなど）のアイコン２９ａをタッチパネル２４に表示可能なように切り替える制御を行うように構成されている。また、制御部２７は、アフター５モードでは、図１２に示すように、アフター５に適した電話帳２９ｂをタッチパネル２４に表示可能なように切り替える制御を行うように構成されている。
【００３９】
制御部２７は、休日モードでは、図１３に示すように、休日に適したアプリケーション（たとえば、ショッピングの情報を提供するアプリケーションなど）のアイコン３０ａをタッチパネル２４に表示可能なように切り替える制御を行うように構成されている。また、制御部２７は、休日モードでは、図１４に示すように、休日に適した電話帳３０ｂをタッチパネル２４に表示可能なように切り替える制御を行うように構成されている。
【００４０】
また、制御部２７は、地磁気の検出誤差を補正するためのユーザによる地磁気センサ２６のキャリブレーション操作の際に、永久磁石１１の地磁気に対するオフセット値を算出する制御を行うように構成されている。これにより、地磁気センサ２６の電子コンパスとしての機能を損うことなくケース１を識別することが可能である。また、制御部２７は、検出されたアフター５用のケース１ａまたは休日用のケース１ｂのそれぞれに対応するアフター５モードまたは休日モードに応じたインターフェイス画面になるようにタッチパネル２４の表示を切り替える制御を行うように構成されている。また、制御部２７は、ビジネスモードに応じたインターフェイス画面になるようにタッチパネル２４の表示を切り替える制御を行うように構成されている。
【００４１】
次に、図１５を参照して、本実施形態の携帯端末１００の制御部２７による動作モード切り替え処理フローについて説明する。
【００４２】
まず、ステップＳ１において、地磁気および永久磁石１１から発生されるＸ方向、Ｙ方向およびＺ方向の磁気に関するデータが地磁気センサ２６から取得される。地磁気および永久磁石１１から発生される磁気に関するデータが取得されるとステップＳ２に進む。
【００４３】
ステップＳ２において、永久磁石１１の地磁気に対するＸ方向、Ｙ方向およびＺ方向のオフセット値が算出される。この際、携帯端末１００が、図１に示すように、携帯端末１００のＸ方向の略中心で、かつ、Ｙ方向に沿った軸を回転軸Ｒとしてユーザにより回転される。
【００４４】
次に、ステップＳ３において、永久磁石１１の地磁気に対する算出したオフセット値に基づいてケース１が識別される。本体２に取り付けられたケース１が、アフター５用のケース１ａであると識別された場合には、ステップＳ４に進む。この際、Ｚ方向のオフセット値が略Ｚ０と算出されたことに基づいて、アフター５用のケース１ａであると識別される。また、本体２に取り付けられたケース１が、休日用のケース１ｂであると識別された場合には、ステップＳ５に進む。この際、Ｚ方向のオフセット値が略−Ｚ０と算出されたことに基づいて、休日用のケース１ｂであると識別される。また、アフター５用のケース１ａまたは休日用のケース１ｂが、本体２に取り付けられていないと識別された場合には、ステップＳ６に進む。この際、Ｚ方向のオフセット値が略０と算出されたことに基づいて、ケース１が取り付けられていないと識別される。
【００４５】
ステップＳ４において、アフター５モードに切り替えられる。アフター５モードに切り替えられると、アフター５用の待ち受け画面として、アフター５に適したアプリケーションのアイコン２９ａ（図１１参照）がタッチパネル２４に表示される。また、アフター５に適した電話帳２９ｂ（図１２参照）が、タッチパネル２４に表示可能なように設定される。その後、動作モード切り替え処理フローを終了する。
【００４６】
また、ステップＳ５において、休日モードに切り替えられる。休日モードに切り替えられると、休日用の待ち受け画面として、休日に適したアプリケーションのアイコン３０ａ（図１３参照）がタッチパネル２４に表示される。また、休日に適した電話帳３０ｂ（図１４参照）が、タッチパネル２４に表示可能なように設定される。その後、動作モード切り替え処理フローを終了する。
【００４７】
また、ステップＳ６において、ビジネスモードに切り替えられるか、または、モードの切り替えが行われない。具体的には、ケース１が本体２から取り外された場合には、ビジネスモードに切り替えられる。また、既にビジネスモードである場合には、モードの切り替えが行われずビジネスモードが継続される。ビジネスモードに切り替えられると、ビジネス用の待ち受け画面として、ビジネスに適したアプリケーションのアイコン２８ａ（図９参照）がタッチパネル２４に表示される。また、ビジネスに適した電話帳２８ｂ（図１０参照）が、タッチパネル２４に表示可能なように設定される。その後、動作モード切り替え処理フローを終了する。
【００４８】
本実施形態では、上記のように、地磁気センサ２６により永久磁石１１を含むケース１が検出されたことに基づいて、複数のケース１のうち検出されたケース１を識別し、識別したケース１に対応する動作モードに切り替える制御を行う制御部２７を設ける。これにより、ユーザが状況に応じて複数のケース１の中から所望の動作モードに対応するケース１を選択して本体２に取り付けるだけで、取り付け後のケース1に対応する動作モードに自動的に切り替えられるので、所望の動作モードに切り替えるためにユーザが携帯端末１００を自ら操作する必要がない。これにより、動作モードを切り替える際のユーザの利便性を向上させることができる。
【００４９】
本実施形態では、上記のように、複数のケース１を、それぞれの永久磁石１１から発生される磁界が互いに識別可能なように構成するとともに、永久磁石１１の磁界の向きに基づいて、複数のケース１を識別するように制御部２７を構成する。これにより、永久磁石１１を用いて、ケース１を容易に識別することができるので、容易に、取り付け後のケース１に対応する動作モードに自動的に切り替えることができる。
【００５０】
本実施形態では、上記のように、永久磁石１１が発生する磁界に基づいてケース１を識別するように制御部２７を構成する。これにより、取り扱いが容易な永久磁石１１の磁界に基づいて、複数のケース１をより容易に識別することができる。
【００５１】
本実施形態では、上記のように、磁気および地磁気を検出可能な地磁気センサ２６により磁気センサを構成する。これにより、携帯端末１００に搭載されていることが多い地磁気を検出可能な地磁気センサ２６をケース１の磁気を検出する磁気センサとして流用することができるので、ケース１の磁気を検出するために専用の磁気センサを別途設ける必要がない。
【００５２】
本実施形態では、上記のように、地磁気センサ２６により検出された永久磁石１１の地磁気に対する検出誤差としてのオフセット値を算出し、算出されたオフセット値の大きさおよび向きに基づいてケース１を識別するように制御部２７を構成する。これにより、地磁気に対する検出誤差としてのオフセット値の大きさおよび向きに基づいて、複数のケース１を容易に識別することができるので、容易に、取り付け後のケース１に対応する動作モードに自動的に切り替えることができる。
【００５３】
本実施形態では、上記のように、永久磁石１１の地磁気に対するオフセット値が地磁気の強度の最大値と最小値との差よりも大きくなる磁気を有する永久磁石１１を構成する。これにより、地磁気センサ２６により、地磁気の強度と永久磁石１１による磁気の強度とが互いにより明確に識別可能な状態で検出されるので、複数のケース１を精度よく識別することができる。
【００５４】
本実施形態では、上記のように、地磁気の検出誤差を補正するためのユーザによる地磁気センサ２６のキャリブレーション操作の際に、永久磁石１１の地磁気に対するオフセット値を算出する制御を行うように制御部２７を構成する。これにより、ユーザによる地磁気センサ２６のキャリブレーション操作を行う際に併せてケース１を識別することができるので動作モードを切り替える際のユーザの利便性をより向上させることができる。
【００５５】
本実施形態では、上記のように、地磁気センサ２６に対向するようにケース１に永久磁石１１を設ける。これにより、地磁気センサ２６により、永久磁石１１の磁気が検出し易くなるので、容易に、ケース１を識別することができる。
【００５６】
本実施形態では、上記のように、情報を表示するタッチパネル２４をさらに設けるとともに、検出されたケース１に対応する動作モードに応じたインターフェイス画面になるようにタッチパネル２４の表示を切り替える制御を行うように制御部２７を構成する。これにより、ケース１を本体２に取り付けるだけで動作モードに応じたインターフェイス画面に自動的に切り替えられるので、ユーザの利便性をより向上させることができる。
【００５７】
本実施形態では、上記のように、本体２を覆うように取り付け可能にケース１を構成するとともに、ケース１に永久磁石１１を設ける。これにより、ユーザは状況に応じてケース１を交換するだけで所望の動作モードに容易に切り替えることができる。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
上記実施形態では、携帯端末を適用する例を示したが、本発明はこれに限られない。本発明では、たとえば、タブレット等に本発明を適用してもよい。
【００６０】
上記実施形態では、本発明の磁性体として永久磁石を設けた例を示したが、本発明はこれに限られない。本発明では、磁性体として、たとえば、軟鉄や電磁石を設けてもよい。
【００６１】
上記実施形態では、本発明の磁性体としての永久磁石の磁界の大きさおよび向きに基づいて、本発明の磁性体設置部材としてのケースを識別した例を示したが、本発明はこれに限られない。本発明では、磁性体の磁界の大きさ、または、向きのいずれか一方に基づいて、磁性体設置部材を識別してもよい。
【００６２】
上記実施形態では、本発明の磁性体設置部材としてのアフター５用のケース１ａおよび休日用のケース１ｂを識別することにより、本発明の動作モードとしてのアフター５モード、休日モードおよびビジネスモードの３つのモードに切り替え可能に構成した例を示したが、本発明は、本発明はこれに限られない。本発明では、４つ以上のモードに切り替え可能に構成してもよい。
【００６３】
上記実施形態では、ユーザによる地磁気センサのキャリブレーション操作の際に、地磁気に対するオフセット値を平均化して算出し、平均化されたオフセット値の大きさおよび向きに基づいて、本発明の磁性体設置部材としてのケースを識別する例を示したが、本発明はこれに限られない。本発明では、磁性体設置部材を識別可能なぐらい大きいオフセット値を有する磁性体設置部材を設ければ、オフセット値を求める際に平均化を行わなくても磁性体設置部材を識別することができる。
【００６４】
上記実施形態では、本発明の磁性体としての永久磁石がＺ方向に磁界を発生させるように本発明の磁性体設置部材としてのケースに設けられることにより、Ｚ方向のオフセット値を算出し、本発明の磁性体設置部材としてのケースを識別する例を示したが、本発明はこれに限られない。本発明では、図１６〜図１９に示すように、磁性体を、たとえば、Ｘ方向またはＹ方向に磁界を発生させるように磁性体設置部材に設け、Ｘ方向またはＹ方向のオフセット値を算出し、磁性体設置部材を識別してもよい。また、磁性体を、Ｘ方向、Ｙ方向およびＺ方向のうちのいずれかの方向に対して傾斜して磁界を発生させるように磁性体設置部材に設けてもよい。
【００６５】
上記実施形態では、本発明の磁性体設置部材としてのケースを設けた例を示したが、本発明はこれに限られない。本発明では、図２０に示すように、磁性体設置部材として、たとえば、クレードル１ｃなどを設けてもよい。また、磁性体設置部材として、本体部に取り付け可能なシート状のシールなどを設けてもよい。
【００６６】
上記実施形態では、本発明の動作モードとしてのアフター５モードおよび休日モードの切り替えによって、アフター５モードおよび休日モードに応じたインターフェイス画面になるように表示を切り替える例を示したが、本発明はこれに限られない。本発明では、表示以外の、たとえば、音や振動などを動作モードに応じて切り替えてもよい。
【００６７】
上記実施形態では、説明の便宜上、制御部の処理動作をスタート時はイベント駆動的に記載し、スタート以降の処理動作はフロー駆動的に記載したフローチャートを用いて説明したが、本発明はこれに限られない。制御部の処理動作を完全なイベント駆動型で行ってもよいし、完全なフロー駆動型で行ってもよいし、並行処理的に行ってもよい。
【符号の説明】
【００６８】
１  ケース（磁性体設置部材）
１ａ  アフター５用のケース（磁性体設置部材）
１ｂ  休日用のケース（磁性体設置部材）
１ｃ  クレードル（磁性体設置部材）
２  本体（本体部）
１１、１１ａ、１１ｂ  永久磁石（磁性体）
２４  タッチパネル（表示部）
２６  磁気センサ（地磁気センサ）
２７  制御部
１００  携帯端末
【図１】
2013236348.tif 000003
【図２】
2013236348.tif 000004
【図３】
2013236348.tif 000005
【図４】
2013236348.tif 000006
【図５】
2013236348.tif 000007
【図６】
2013236348.tif 000008
【図７】
2013236348.tif 000009
【図８】
2013236348.tif 000010
【図９】
2013236348.tif 000011
【図１０】
2013236348.tif 000012
【図１１】
2013236348.tif 000013
【図１２】
2013236348.tif 000014
【図１３】
2013236348.tif 000015
【図１４】
2013236348.tif 000016
【図１５】
2013236348.tif 000017
【図１６】
2013236348.tif 000018
【図１７】
2013236348.tif 000019
【図１８】
2013236348.tif 000020
【図１９】
2013236348.tif 000021
【図２０】
2013236348.tif 000022